(57)【要約】【課題】累進屈折力レンズを装用者が快適に装用するために近用域における装用者の視線をテストし、適正な位置に誘導するための眼鏡装用テスト用補助具において、累進帯長及び内寄せ量の変化に対応できるようにする。【解決手段】基準位置マーク２１、累進屈折力レンズ１１０の中間部から近用部に至る領域を穿つ切り抜き部２４、内寄せ目盛２５，２６及び累進帯長目盛２７を有する光透過性シートであるテストシール本体２と、内寄せ指標線３３，３４、累進帯長指標線３５、及び近用アイポイントを示す近用アイポイント孔３１を有し、テストシール本体２の切り抜き部２４の周囲領域に貼付可能な光透過性シートであるアイポイントシール３とを有する構成とする。【選択図】　図２
2004004674.tif 000002
【特許請求の範囲】
【請求項１】
累進屈折力レンズの基準位置に位置合わせをするための基準位置マーク、前記累進屈折力レンズの中間部から近用部に至る領域を穿つ切り抜き部、第１内寄せ位置決めマーク及び第１累進帯長位置決めマークを有する光透過性シートであるテストシール本体と、
前記第１内寄せ位置決めマークに位置決めする第２内寄せ位置決めマーク、前記第１累進帯長位置決めマークに位置決めする第２累進帯長位置決めマーク、及び近用アイポイントを示す近用アイポイント孔を有し、前記テストシール本体の前記切り抜き部の周囲領域に貼付可能な光透過性シートであるアイポイントシールと
を有することを特徴とする眼鏡装用テスト用補助具。
【請求項２】
請求項１記載の眼鏡装用テスト用補助具において、
前記アイポイントシールが、前記近用アイポイント孔の上側に遠用と近用の中間の焦点距離を示す中間アイポイント孔を有することを特徴とする眼鏡装用テスト用補助具。
【請求項３】
請求項２記載の眼鏡装用テスト用補助具において、
前記中間アイポイント孔が上端縁に連絡している切欠部で構成されていることを特徴とする眼鏡装用テスト用補助具。
【請求項４】
請求項１〜３いずれかに記載の眼鏡装用テスト用補助具において、
前記アイポイントシールに上側領域を切り取り可能な点線状の孔が設けられていることを特徴とする眼鏡装用テスト用補助具。
【請求項５】
請求項１記載の眼鏡装用テスト用補助具において、
前記第１内寄せ位置決めマークが内寄せ量を表示する内寄せ目盛であり、前記第２内寄せ位置決めマークが前記第１内寄せ目盛に位置合わせをする内寄せ指標マークであり、前記第１累進帯長位置決めマークが累進帯長を表示する累進帯長目盛であり、前記第２累進帯長位置決めマークが前記累進帯長目盛に位置合わせをする累進帯長指標マークであることを特徴とする眼鏡装用テスト用補助具。
【請求項６】
請求項１〜５いずれかに記載の眼鏡装用テスト用補助具において、
前記テストシール本体と前記アイポイントシールとが一枚の剥離紙に貼着されていることを特徴とする眼鏡装用テスト用補助具。
【発明の詳細な説明】
【０００１】
【発明の属する技術分野】
本発明は、眼鏡装用テスト用補助具に関し、特に、累進屈折力レンズを装用者が快適に装用するために中間域と近用域における装用者の視線をテストし、適正な位置に誘導するための眼鏡装用テスト用補助具に関する。
【０００２】
【従来の技術】
累進屈折力レンズは、屈折力の異なる２つの視野部分と、これらの間で屈折力が累進的に変わる視野部分とを備えたレンズであり、これらの視野部分に境目がなく外観的に優れ、さらに１つのレンズで異なる屈折力の視野を得ることができる。このため老視などの視力の補正機能を備えた眼鏡レンズとして多く用いられている。
【０００３】
図４に眼鏡レンズとして多く用いられている累進屈折力レンズの一般的な構造を示した。この累進屈折力レンズ１００は遠距離の物を見るための視野部分である遠用部１０１が上方に設けられ、近距離の物を見るために遠用部１０１と異なる屈折力を備えた視野部分が近用部１０２として下方に設けられている。そしてこれら遠用部１０１と近用部１０２が、遠距離と近距離の中間距離の物を見るために連続的に変化する屈折力を備えた視野部分である中間部１０３によって滑らかに連絡されている。
【０００４】
一方、上記のような累進屈折力レンズ１００を枠入れした累進屈折力レンズ１１０を装用する際には、視覚対象物の距離に最も適した視野部分で見ることが非常に重要である。さもなければ、視力を矯正できないだけでなく、像の歪みや目の疲れ等を引き起こしてしまう。特に、中間部（以下、または累進帯とも示す）から近用部にかけての視野部分については、眼鏡を処方しフィッティングする際に、装用者が特に近用アイポイント（近用中心）１０５を認識し、適切な視野部分で見ることができるよう、作業者が累進屈折力レンズにおける装用者の視線をテストし、正しい位置へ誘導する必要がある。
【０００５】
このような目的のために、従来より、眼鏡装用テスト用補助具が用いられている。この眼鏡装用テスト用補助具は、レンズの基準位置である隠しマーク１０６に合わせるための基準位置マークが印刷され、近用アイポイント部分をくり抜いてその周囲を着色し、裏面に粘着剤が設けられた透明シートである。眼鏡フレームに枠入れした眼鏡レンズ１１０の隠しマーク１０６に基準位置マークを合わせて貼り付ける。装用者は、近用アイポイント１０５を視認し、近用アイポイント１０５の位置に慣れるように訓練することができる。
【０００６】
従来より、眼鏡装用テストとは異なるが類似する技術として、累進屈折力レンズの枠入れのための補助具に関する技術が考案されている。下記の特許文献１には、遠用アイポイント穴と近用アイポイント穴を有する枠入れ補助具が開示されている。しかし、近年では累進屈折力レンズの種類も増え、累進帯の長さも様々になってきたため、下記の特許文献２において、近用アイポイント穴の隣に遠用部からの距離を示す識別マークを付けることによりそれに対応した。さらに下記の特許文献３には、近用アイポイント域の両側に位置決めマークを設け、その位置決めマークに合わせて貼り付ける近用アイポイント穴シールを有する枠入れ補助具が開示されている。これらはあくまで枠入れ補助具であり、眼鏡装用テスト用補助具には適していない。
【０００７】
【特許文献１】
実開昭６３−１２０２２５号公報
【特許文献２】
実用新案登録第２５０３７７０号
【特許文献３】
実用新案登録第２５６２２５６号
【０００８】
【発明が解決しようとする課題】
しかしながら、近用アイポイントの位置は、近くの物を見るときに目が鼻側へ寄る輻輳を考慮した内寄せ量と遠用部からの距離である累進帯長とによって定まり、これらの値は個人によってかなり差がある。近年、累進屈折力レンズの製造技術が進歩し、装用者の近用アイポイントの位置に合わせて累進屈折力レンズを設計し、製造することができるようになった。
【０００９】
そのため、従来の近用アイポイントの位置が固定している眼鏡装用テスト用補助具では、このような設計の累進屈折力レンズに対して近用アイポイントの位置毎の莫大な数が必要となって実用的ではないという問題がある。また、上記特許文献３に開示されているように、累進帯長の変化に対応できる枠入れ補助具は存在したが、内寄せ量の変化に対応できるものは枠入れ補助具にもなかった。
【００１０】
本発明は、上記事情に鑑みてなされたもので、累進帯長及び内寄せ量の変化に伴う近用アイポイントの位置の変化に対応することができる眼鏡装用テスト用補助具を提供することを目的とする。
【００１１】
【課題を解決するための手段】
上記目的を達成するため、請求項１記載の眼鏡装用テスト用補助具は、累進屈折力レンズの基準位置に位置合わせをするための基準位置マーク、前記累進屈折力レンズの中間部から近用部に至る領域を穿つ切り抜き部、第１内寄せ位置決めマーク及び第１累進帯長位置決めマークを有する光透過性シートであるテストシール本体と、前記第１内寄せ位置決めマークに位置決めする第２内寄せ位置決めマーク、前記第１累進帯長位置決めマークに位置決めする第２累進帯長位置決めマーク、及び近用アイポイントを示す近用アイポイント孔を有し、前記テストシール本体の前記切り抜き部の周囲領域に貼付可能な光透過性シートであるアイポイントシールとを有する。
【００１２】
この眼鏡装用テスト用補助具は、基準位置マークを眼鏡レンズに設けられている隠しマーク等の基準位置に合わせてテストシール本体を眼鏡レンズに貼り付け、アイポイントシールの第２累進帯長位置決めマークをテストシール本体の第１累進帯長位置決めマークに位置決めすると共に、第２内寄せ位置決めマークを第１内寄せ位置決めマークに位置決めしてアイポイントシールを切り抜き部の周囲に貼り付けると、近用アイポイント孔が装用者特有の近用アイポイントを表示できる。装用者は近用アイポイント孔を視認することにより、近用アイポイントの位置に習熟することができる。
【００１３】
そのため、この眼鏡装用テスト用補助具は、累進帯長及び内寄せ量の変化に対応することができ、１種類で多数の近用アイポイントの位置の変化に対応することができる。
【００１４】
また、請求項２記載の眼鏡装用テスト用補助具は、請求項１記載の眼鏡装用テスト用補助具において、前記アイポイントシールが、前記近用アイポイント孔の上側に遠用と近用の中間の焦点距離を示す中間アイポイント孔を有する。
【００１５】
中間アイポイント孔を設けたことにより、遠用と近用の中間の焦点距離の位置に慣れることができる。
【００１６】
請求項３記載の眼鏡装用テスト用補助具は、請求項２記載の眼鏡装用テスト用補助具において、前記中間アイポイント孔が上端縁に連絡している切欠部で構成されている。
【００１７】
中間アイポイント孔を上端縁に連絡している切欠部とすることにより、中間アイポイントの長さを表示し、認識させることができる。
【００１８】
請求項４記載の眼鏡装用テスト用補助具は、請求項１〜３いずれかに記載の眼鏡装用テスト用補助具において、前記アイポイントシールに上側領域を切り取り可能な点線状の孔が設けられている。
【００１９】
切り取り可能な点線状の孔を設けたことにより、アイポイントシールの貼付位置が上になり、アイポイントシールの上側領域が遠用部に進入し、遠用部の視認を妨害するようなときは、切取線からアイポイントシールの上側領域を切り取って遠用部の視認を確保することができる。
【００２０】
請求項５記載の眼鏡装用テスト用補助具は、請求項１記載の眼鏡装用テスト用補助具において、前記第１内寄せ位置決めマークが内寄せ量を表示する内寄せ目盛であり、前記第２内寄せ位置決めマークが前記第１内寄せ目盛に位置合わせをする内寄せ指標マークであり、前記第１累進帯長位置決めマークが累進帯長を表示する累進帯長目盛であり、前記第２累進帯長位置決めマークが前記累進帯長目盛に位置合わせをする累進帯長指標マークである。
【００２１】
テストシール本体の内寄せ目盛にアイポイントシールの内寄せ指標マークを位置決めし、テストシール本体の累進帯長目盛にアイポイントシールの累進帯長指標マークを位置決めすることにより、アイポイントシールの近用アイポイント孔を処方通りに近用アイポイントを表示させる正確な位置に配置することができる。
【００２２】
請求項６記載の眼鏡装用テスト用補助具は、請求項１〜５いずれかに記載の眼鏡装用テスト用補助具において、前記テストシール本体と前記アイポイントシールとが一枚の剥離紙に貼着されている。
【００２３】
一枚の剥離紙にテストシール本体とアイポイントシールとが貼着されていると、眼鏡レンズへの貼付を迅速に行うことができる。
【００２４】
【発明の実施の形態】
以下、本発明の眼鏡装用テスト用補助具の実施の形態について説明するが、本発明は以下の実施の形態に限定されるものではない。
【００２５】
図１は、本発明の眼鏡装用テスト用補助具の一実施形態を示す平面図である。この眼鏡装用テスト用補助具は、矩形状の光透過性の粘着シート基材１０に印刷された種々のマークと切り抜きで左右一対が形成されている。粘着シート基材１０は図示しない剥離紙に貼着されている。図面左側に右眼用の累進屈折力レンズに用いるための眼鏡装用テスト用補助具（「Ｒ」と表示）１が設けられ、図面右側に左眼用の累進屈折力レンズに用いるための眼鏡装用テスト用補助具（「Ｌ」と表示）１が設けられている。これらの左右一対の眼鏡装用テスト用補助具１，１は線対称に形成されている。これらの眼鏡装用テスト用補助具１，１の中間に鼻が位置する。従って、本明細書で図１の中央よりの側を鼻側、外側を耳側とする。
【００２６】
この眼鏡装用テスト用補助具１は、テストシール本体２とアイポイントシール３の２つのシールから構成されている。
【００２７】
テストシール本体２の上端近傍には、累進屈折力レンズの基準位置である２つの隠しマーク１０６（図４参照）に位置合わせをするための隠しマークを囲む円形の線で表示される２つの基準位置マーク２１が設けられている。図示しないが、基準位置マーク２１の円形の線の内側に沿った切り抜きが設けられている。２つの基準位置マーク２１の中心を通る水平基準線２２が設けられている。２つの基準位置マーク２１の中間点に縦線が水平基準線２２とＴ字を形成して設けられ、このＴ字の交点は眼鏡レンズのフィッティングポイント２３を示す。フィッティングポイント２３の下方には上下方向に長い矩形状の切り抜き部２４が累進屈折力レンズの中間部から近用部に至る領域を穿つ切り抜きで設けられている。この切り抜き部２４は近用アイポイントの個人差に起因する位置の変化をカバーできる大きさになっており、例えば、幅が１４ｍｍ±４ｍｍ程度で、長さが２３ｍｍ±６ｍｍ程度で、上端の位置は、水平基準線２２から１〜５ｍｍ程度離れている。
【００２８】
切り抜き部２４の鼻側の側方には、第１内寄せ位置決めマークとして第１内寄せ目盛２５が設けられている。また、切り抜き部２４の下方には第１内寄せ位置決めマークとして第２内寄せ目盛２６が設けられている。第１及び第２内寄せ目盛２５，２６は、垂直方向の線が例えば１ｍｍ毎に並んでおり、内寄せ量を示す数字が各垂直線に添えられている。内寄せ量というのは、近くの物を見る際に目が鼻側に寄る量を示しており、一般的には左右の眼の視点間距離と、眼と眼鏡レンズとの距離と、近距離の視覚対象物との距離から割り出される。フィッティングポイント２３を通る垂直線の位置が内寄せ量がゼロの位置となる。
【００２９】
切り抜き部２４の耳側の側方には、切り抜き部２４を横切って第１累進帯長位置決めマークとして累進帯長目盛２７が設けられている。累進帯長目盛２７は、水平方向の線が例えば２ｍｍ毎に並んでおり、末端は切り抜き部２４の鼻側の側方に達している。各水平線には、水平基準線２２からの距離を示す数字が添えられている。
【００３０】
また、累進帯長目盛２７の耳側には、レンズ有効径を示すレンズ径目盛２８が設けられている。レンズ径目盛２８は、フィッティングポイント２３を中心とする径が異なる複数の円弧状の線が並んでおり、中心からの距離を示す数字、例えばレンズの生地の径を示す６５〜８０の数字が各線に表示されている。
【００３１】
テストシール本体２は、これらの水平基準線２２、基準位置マーク２１、第１内寄せ目盛２５、第２内寄せ目盛２６、切り抜き部２４、累進帯長目盛２７、レンズ径目盛２８を包含するように切り抜き２９が形成されている。剥離紙からテストシール本体２を剥がすと、切り抜き部２４と基準位置マーク２１の円の内側が剥離紙に残り、テストシール本体２はその部分が切り抜かれた状態となる。
【００３２】
一方、アイポイントシール３は、テストシール本体２とは別体となっている。近用アイポイント１０５を示す丸みを帯びた四辺形の切り抜きが近用アイポイント孔３１として設けられている。この近用アイポイント孔３１の周囲は、着色印刷で縁取られ、近用アイポイント孔３１を明示している。近用アイポイント孔３１の形状は円形でもよい。その大きさは、この近用アイポイント孔３１を通して近くの物を見ることができるように、縦横共に、５〜９ｍｍ程度である。近用アイポイント孔３１の上方には中間アイポイントを示す上端縁と連絡した略Ｕ字状の切欠部が中間アイポイント孔３２として設けられている。中間アイポイント孔３２の長さは、例えば１５ｍｍ±５ｍｍ程度で、幅は８ｍｍ±３ｍｍ程度である。Ｕ字状の切り抜きの底部に近い部分の対向する両側に３ｍｍ程度の長さの着色印刷が形成され、中間アイポイントの位置を明示している。中間アイポイント孔３２の形状は、図示の上端縁に連絡した略Ｕ字状の切欠部に限られず、粘着シート基材１０で周囲を囲まれた独立した切り抜きでもよく、長方形、方形、円形、楕円形など中間アイポイントを示すことができれば制限はない。
【００３３】
中間アイポイント孔３２の鼻側の側方には、第１内寄せ目盛２５に対応する第２内寄せ位置決めマークとして垂直方向の第１内寄せ指標線３３が設けられている。また、近用アイポイント孔３１の下縁から下方の領域に第２内寄せ位置決めマークとして近用アイポイント孔３１の中心に向かう垂直方向の第２内寄せ指標線３４が設けられている。第２内寄せ指標線３４は第２内寄せ目盛２６に対応する。また、近用アイポイント孔３１の上縁に接している第２累進帯長位置決めマークとして水平方向の累進帯長指標線３５が近用アイポイント孔３１の鼻側と耳側の両方に延伸し、耳側の方に長く延伸して設けられている。
【００３４】
アイポイントシール３を光透過性シート基材１０から切り離す切り抜き３６は、第１内寄せ指標線３３、第２内寄せ指標線３４、近用アイポイント孔３１、累進帯長指標線３５及び中間アイポイント孔３２を含むように設けられ、Ｕ字型の中間アイポイント孔３２の両側に沿って上方に延伸する中間アイポイント孔形成部３７が設けられ、第１内寄せ指標線３３を含む三角形状の突起部３８が設けられている。
【００３５】
アイポイントシール３の上方の中間アイポイント孔形成部３７には、中間アイポイント孔３２を横切って水平方向の点線状の孔（ミシン目）がアイポイントシール３の上部の全幅に亘って切取線３９として設けられている。この切取線３９からアイポイントシール３の上側領域を切り離して垂直方向の高さを減少できるようになっている。切取線３９の位置は上縁から８ｍｍ±５ｍｍ程度である。
アイポイントシール３を剥離紙から引きはがすと、近用アイポイント孔３１を形成する切り抜きの内側が剥離紙に残り、アイポイントシール３には近用アイポイント孔３１が形成される。
【００３６】
眼鏡装用テスト用補助具１を構成する光透過性粘着シート基材１０は、眼鏡レンズに貼付できる程度の可撓性を有し、透明で、レンズに貼り付けることができ、容易かつきれいに剥がすことができる粘着性をもたせるのが好ましい。
【００３７】
このようなテストシール本体２とアイポイントシール３から構成される眼鏡装用テスト用補助具１の使用方法を図２及び図３を参照しながら説明する。この説明では、左目用の累進屈折力レンズに対して左用の眼鏡装用テスト用補助具（「Ｌ」と表示されている）を使用する例を示す。
【００３８】
対象となる枠入れした累進屈折力レンズ１１０には、目立たないように基準位置として２つの隠しマーク１０６が形成されている。近用アイポイント１０５と遠用アイポイント１０７を示す印刷は、枠入れ加工後は消されて眼鏡レンズ１１０の表面には残存していない場合が多いが、説明上破線で示している。
【００３９】
まず、図２（ａ）に示すように、テストシール本体２を剥離紙から剥がす。剥離紙からテストシール本体２を剥がすと、切り抜き部２４と基準位置マーク２１の円の内側が剥離紙に残り、テストシール本体２はその部分が切り抜かれた状態となる。
【００４０】
次に、図２（ｂ）に示すように、テストシール本体２の２つの基準位置マーク２１を累進屈折力レンズ１１０の２つの隠しマーク１０６に合わせ、基準位置マーク２１の円の中に隠しマーク１０６が収まるようにテストシール本体２を累進屈折力レンズ１１０の表面に貼り付ける。これにより、テストシール本体２は、累進屈折力レンズ１１０の上に正確に位置決めして固定される。
【００４１】
次に、図２（ｂ）に示すように、アイポイントシール３を剥離紙から引き剥がして分離させる。アイポイントシール３を剥離紙から引きはがすと、近用アイポイント孔３１を形成する切り抜きの内側が剥離紙に残り、アイポイントシール３には近用アイポイント孔３１が形成される。
【００４２】
次に、図２（ｃ）に示すように、処方された累進屈折力レンズ１１０の累進帯長及び内寄せ量に従い、第１内寄せ指標線３３を第１内寄せ目盛２５に位置決めするか、第２内寄せ指標線３４を第２内寄せ目盛２６に位置決めすると共に、累進帯長指標線３５を累進帯長目盛２７に位置決めしてアイポイントシール３を切り抜き部２４の周囲領域に貼り付けて固定する。図２（ｃ）では、累進帯長が１２ｍｍ、内寄せ量が２．５ｍｍの場合を示しており、累進帯長指標線３５を累進帯長目盛２７の１２の線に、内寄せ指標線３３，３４を内寄せ目盛２５，２６の２と３の中間の位置に合わせて貼り付ける。この場合は、アイポイントシール３が切り抜き部２４の比較的上側に貼り付けられるため、第２内寄せ指標線３４が第２内寄せ目盛２６の上方に位置し、合わせることができないため、第１内寄せ指標線３３を第１内寄せ目盛２５に合わせる。これにより、近用アイポイント孔３１は処方された通りの近用アイポイント１０５を表示する位置に正確に配置される。
【００４３】
図２（ｃ）に示すように、アイポイントシール３の上部が遠用部に進入し、遠用部の視認に影響がある場合は、図３（ｄ）に示すように、アイポイントシール３の切取線３９から上側領域を切り取り、遠用部に対する影響をなくすことができる。
【００４４】
第２内寄せ目盛２６は、眼鏡枠が小さいときに枠外にはみ出てしまう場合がある。その場合は、第１内寄せ目盛２５に第１内寄せ指標線３３を合わせて内寄せ量を設定する。
【００４５】
図３（ｅ）に示すように、アイポイントシール３の貼る位置が切り抜き部２４の下側であれば、第２内寄せ指標線３４を第２内寄せ目盛２６に合わせることが可能となる。
【００４６】
本実施形態の眼鏡装用テスト用補助具１は、内寄せ目盛２５，２６が切り抜き部２４の下方と側方の２箇所に設けられ、内寄せ指標線３３，３４が下方と側方の２箇所に設けられている。累進帯長の変化が大きく、一つの内寄せ指標線と内寄せ目盛だけでは、内寄せ指標線が内寄せ目盛から外れて内寄せ量を合わせることができない場合があるため、内寄せ目盛とこれに対応する内寄せ指標線を２箇所に設けることにより、累進帯長の変化の全領域に対して内寄せ量を設定することができる。
【００４７】
眼鏡装用テスト用補助具１を眼鏡レンズ１１０に貼り付けた状態で、装用者に眼鏡をかけてもらい、中間アイポイント孔３２において中間距離の対象物を、近用アイポイント孔３１において近距離の対象物が見えるかどうかのテストを行うと共に、最も適切な視野部分を示唆し、累進屈折力レンズ１１０の適切な視野部分で対象物を見れるように視線をテストし、正しい位置へ誘導することが可能となる。その結果、装用者が快適に累進屈折力眼鏡を装用することができる。
【００４８】
また、本発明の眼鏡装用テスト用補助具１は、枠入れ後の累進屈折力レンズの目の位置の確認と慣れのためだけではなく、累進屈折力レンズを購入するときに、購入者が装用する眼鏡フレームに必要なレンズの有効径を、レンズ径目盛２８により知ることができる。例えば、図２に示した枠入れ加工をする場合は、最もレンズ径が大きい部分は約６８ｍｍであるから、７０ｍｍの有効径のレンズ生地を用いればよいことが分かる。これにより、レンズ生産の不要な材料の無駄を省き、低コスト化を図ることができる。
【００４９】
このように、本実施形態の眼鏡装用テスト用補助具１は、１種類で多種類の近用アイポイントの位置の変化に対応することができる。そのため、多種類の眼鏡装用テスト用補助具を用意する必要がなくなり、製造コストの低減や煩雑な管理を省くことができる。
【００５０】
上記説明では、テストシール本体２の第１内寄せ位置決めマークが内寄せ量を表示する内寄せ目盛２５，２６であり、アイポイントシール３の第２内寄せ位置決めマークが内寄せ目盛２５，２６に位置合わせをする内寄せ指標線３３，３４であり、テストシール本体２の第１累進帯長位置決めマークが累進帯長を表示する累進帯長目盛２７であり、アイポイントシール３の第２累進帯長位置決めマークが累進帯長目盛２７に位置合わせをする累進帯長指標線３５であるとして説明しているが、これらの目盛をアイポイントシール３に設け、これらの指標線をテストシール本体２に設けるようにしてもよい。
【００５１】
また、近用アイポイント孔３１と中間アイポイント孔３２をそれぞれ別個としていたが、これらを一つのＵ字状の切り抜き孔として、印刷でそれぞれを識別できるようにすることも可能である。また、中間アイポイント孔３２は設けなくてもよい。
【００５２】
【発明の効果】
本発明の眼鏡装用テスト用補助具は、累進帯長及び内寄せ量の変化に対応し、一種類で多種類の近用アイポイントの位置の変化に対応することができるため、製造コストを削減することができる。
【図面の簡単な説明】
【図１】本発明の眼鏡装用テスト用補助具の一実施形態を示す平面図である。
【図２】（ａ）〜（ｃ）は、図１の眼鏡装用テスト用補助具を使用する方法を示す正面図である。
【図３】（ｄ）、（ｅ）は、図１の眼鏡装用テスト用補助具を使用する他の方法を示す正面図である。
【図４】累進屈折力レンズの構造を説明する平面図である。
【符号の説明】
１：眼鏡装用テスト用補助具
２：テストシール本体
２１：基準位置マーク
２２：水平基準線
２３：フィッティングポイント
２４：切り抜き部
２５：第１内寄せ目盛
２６：第２内寄せ目盛
２７：累進帯長目盛
２８：レンズ径目盛
３：アイポイントシール
３１：近用アイポイント孔
３２：中間アイポイント孔
３３：第１内寄せ指標線
３４：第２内寄せ指標線
３５：累進帯長指標線
３９：切取線
１０：光透過性粘着シート基材
１１０：累進屈折力レンズ
１０６：基準位置（隠しマーク）
１０５：近用アイポイント
【図１】
2004004674.tif 000003
【図２】
2004004674.tif 000004
【図３】
2004004674.tif 000005
【図４】
2004004674.tif 000006